(57)【要約】【課題】インキローラー６のインキが速乾性であっても、保管状態ないし待機状態にインキローラー６を密閉保管して大気から遮断し、インキが乾燥しにくく、屋内はもちろん屋外での使用にも耐え得るようにした携帯式ラベル印字貼付機のインキローラーカバー装置を提供すること。【解決手段】貼付機本体２に、たとえば半割り形態の筒状のケース（カバー）を設け、中にインキローラー６を収容することに着目したもので、インキローラー６の待機状態でそのローラー本体２０の一部を収容可能な固定カバー２３と、待機状態でローラー本体２０の他部を収容して固定カバー２３との間にローラー本体２０を密閉収容可能であるとともに、インキローラー６の作動状態でローラー本体２０を印字器５に向かって露出可能とする可動カバー２４と、を有することを特徴とすることを特徴とする。【選択図】図１
2008201467.tif 000002
【特許請求の範囲】
【請求項１】
貼付機本体と、
この貼付機本体に対して操作する操作レバーと、
この操作レバーの操作により作動する印字器と、
この操作レバーの操作によりこの印字器にインキを塗布するインキローラーと、を有する携帯式ラベル印字貼付機のインキローラーカバー装置であって、
前記貼付機本体に固定的に取り付けるとともに、前記インキローラーの待機状態でそのローラー本体の一部を収容可能な固定カバーと、
前記待機状態で前記ローラー本体の他部を収容してこの固定カバーとの間に前記ローラー本体を密閉収容可能であるとともに、前記インキローラーの作動状態で前記ローラー本体を前記印字器に向かって露出可能とする可動カバーと、
を有することを特徴とする携帯式ラベル印字貼付機のインキローラーカバー装置。
【請求項２】
前記固定カバーおよび前記可動カバーはともに、断面半円形状であって、これらの内部に前記インキローラーを密閉収容する密閉空間を形成可能であることを特徴とする請求項１記載の携帯式ラベル印字貼付機のインキローラーカバー装置。
【請求項３】
前記インキローラーは、
前記ローラー本体を転動させるローラー軸と、
このローラー軸の左右に位置して前記ローラー本体の両側面をそれぞれ保護している左右一対のサイドプレートと、を有し、
前記固定カバー、前記可動カバーおよびこれらのサイドプレートは、これらの内部に前記インキローラーを密閉収容する密閉空間を形成可能であることを特徴とする請求項１記載の携帯式ラベル印字貼付機のインキローラーカバー装置。
【請求項４】
前記可動カバーは、前記インキローラーとこれを一体的に設けることを特徴とする請求項１記載の携帯式ラベル印字貼付機のインキローラーカバー装置。
【請求項５】
前記可動カバーを前記固定カバーの方向に付勢する付勢部材を設けることを特徴とする請求項１記載の携帯式ラベル印字貼付機のインキローラーカバー装置。
【発明の詳細な説明】
【技術分野】
【０００１】
本発明は携帯式ラベル印字貼付機のインキローラーカバー装置にかかるもので、とくにインキローラーの乾燥を防止可能とした携帯式ラベル印字貼付機のインキローラーカバー装置に関するものである。
【背景技術】
【０００２】
従来の携帯式ラベル印字貼付機は、貼付機本体に対して操作レバーを操作することによって印字器を作動させるとともに、インキローラーによりこの印字器にインキを塗布し、ついで、プラテン上に位置しているラベルに印字器がスタンプを行うことにより印字を行うもので、とくに小売り店などにおいて商品の価格その他の情報を表示するために使用されている。
【０００３】
この携帯式ラベル印字貼付機では、インキローラーを貼付機本体に装着したままで、使用していない保管状態ないし待機状態では、インキローラーが常に大気中に露出している。
したがって、インキローラーに含浸させるインキ材料としては、一般的には、インキ自体が乾くことなく、ラベルなどに押印して印字したのち、ラベルの上質紙など紙材にインキが染み込んで乾燥する浸透乾燥性のものが使用されている。
ただし、小売り店の屋内で使用されるラベルの上質紙には、浸透乾燥性のインキに合わせて、このインキが浸透する素材を用いているが、ホームセンターなどにおいてとくに屋外に置かれている商品に貼り付けられるラベルは、雨や風に強い合成紙などを用いており、これらの合成紙にはインキが浸透しないために、従来からの浸透乾燥性のインキを用いたままのインキローラーでは、印字後にインキが乾きにくく、擦れて見にくくなったり、商品自体を汚してしまうという問題がある。
そこで屋外用のインキローラーには、浸透乾燥性ではなく、インキ自体が乾きやすい速乾性のインキを使用することになるが、速乾性であるために上記保存状態ないし待機状態でインキローラーが乾燥しやすく、実際の使用時に使用できなくなってしまうという問題がある。
【０００４】
なお、屋内あるいは屋外に用いられるラベルに印字するためのものに限らず、インキローラーには、その表面にごみやほこりがつきやすく、印字器の印字文字にこれらのごみやほこりが付着して、押印された印字が不用意に汚れるという問題がある。
【０００５】
【特許文献１】特公平３−２６６６３号公報
【発明の開示】
【発明が解決しようとする課題】
【０００６】
本発明は以上のような諸問題にかんがみなされたもので、インキローラーのインキが速乾性、ないしは上質紙などに浸透しない特性であっても、保管状態ないし待機状態にもインキが乾燥しにくいようにした携帯式ラベル印字貼付機のインキローラーカバー装置を提供することを課題とする。
【０００７】
また本発明は、屋内はもちろん屋外での使用にも耐え得るようにしたインキローラーとすることができる携帯式ラベル印字貼付機のインキローラーカバー装置を提供することを課題とする。
【０００８】
また本発明は、インキローラーに付着するごみやほこりにより印字が不用意に汚れることがないようにした携帯式ラベル印字貼付機のインキローラーカバー装置を提供することを課題とする。
【０００９】
また本発明は、保管状態ないし待機状態でインキローラーを密閉保管し、大気から遮断可能とした携帯式ラベル印字貼付機のインキローラーカバー装置を提供することを課題とする。
【課題を解決するための手段】
【００１０】
すなわち本発明は、貼付機本体に、たとえば半割り形態の筒状のケース（カバー）を設け、この中にインキローラーを収容することに着目したもので、貼付機本体と、この貼付機本体に対して操作する操作レバーと、この操作レバーの操作により作動する印字器と、この操作レバーの操作によりこの印字器にインキを塗布するインキローラーと、を有する携帯式ラベル印字貼付機のインキローラーカバー装置であって、上記貼付機本体に固定的に取り付けるとともに、上記インキローラーの待機状態でそのローラー本体の一部を収容可能な固定カバーと、上記待機状態で上記ローラー本体の他部を収容してこの固定カバーとの間に上記ローラー本体を密閉収容可能であるとともに、上記インキローラーの作動状態で上記ローラー本体を上記印字器に向かって露出可能とする可動カバーと、を有することを特徴とする携帯式ラベル印字貼付機のインキローラーカバー装置である。
【００１１】
上記固定カバーおよび上記可動カバーはともに、断面半円形状であって、これらの内部に上記インキローラーを密閉収容する密閉空間を形成可能であることができる。
【００１２】
上記インキローラーは、上記ローラー本体を転動させるローラー軸と、このローラー軸の左右に位置して上記ローラー本体の両側面をそれぞれ保護している左右一対のサイドプレートと、を有し、上記固定カバー、上記可動カバーおよびこれらのサイドプレートは、これらの内部に上記インキローラーを密閉収容する密閉空間を形成可能であることができる。
【００１３】
上記可動カバーは、上記インキローラーとこれを一体的に設けることができる。
【００１４】
上記可動カバーを上記固定カバーの方向に付勢する付勢部材を設けることができる。
【発明の効果】
【００１５】
本発明による携帯式ラベル印字貼付機のインキローラーカバー装置においては、固定カバーおよび可動カバーを設けて、この内部にインキローラーを密閉収容可能としたので、携帯式ラベル印字貼付機の保管状態あるいは待機状態にあっては、そのインキの乾燥を防止し、その作動状態にあっては、密閉収容からインキローラーを開放して印字器にインキを塗布することができる。
すなわち、当該インキローラーは、保管状態ないし待機状態として固定カバーおよび可動カバーに密閉収容されている第１の態勢と、固定カバーから離れて実際の使用状態にある第２の態勢との間を往復動することになる。
したがって、インキローラーに用いられるインキの乾燥を防止可能であり、速乾性のインキを用いたインキローラーであっても使用が可能となり、屋内はもちろん屋外での携帯式ラベル印字貼付機の使用を可能とする。
【発明を実施するための最良の形態】
【００１６】
本発明は、貼付機本体に取り付けた固定カバーと、この固定カバーに接離する可動レバーと、を設けたので、構成を複雑化せずにインキローラーのインキの乾燥を防止し、使用インキの種類および使用場所を左右されないインキローラーとすることができる携帯式ラベル印字貼付機のインキローラーカバー装置を実現した。
【実施例】
【００１７】
つぎに本発明の実施例によるインキローラーカバー装置７を装備した携帯式ラベル印字貼付機１について、図１ないし図６にもとづき説明する。
図１は、携帯式ラベル印字貼付機１の概略側面図、図２は、同、要部概略平面図、図３は、一部切欠き要部正面図であって、携帯式ラベル印字貼付機１は、貼付機本体２と、操作レバー３と、ラベル保持器４と、印字器５と、インキローラー６と、インキローラーカバー装置７と、プラテン８と、移送器９と、を有する。
【００１８】
貼付機本体２は、左右一対の本体側板１０（図２、図３）と、本体側板１０の後方に延びるハンドル１１と、を有する。
【００１９】
操作レバー３は、貼付機本体２に設けた枢軸１２のまわりに回動可能であって、ハンドル１１との間に設けた押しバネ１３の付勢力に抗して握ることにより、貼付機本体２に対してこれを操作し、印字器５、インキローラー６、インキローラーカバー装置７および移送器９を作動させる。
【００２０】
ラベル保持器４は、帯状のラベル連続体１４をロール状に保持して、移送器９、印字器５およびプラテン８の方向に帯状に繰出し可能とする。
【００２１】
印字器５は、操作レバー３の先端側にこれを設け、操作レバー３の操作に合わせて図１中上下方向に作動可能としており、任意の印字文字１５を選択して、この印字文字１５にインキローラー６のインキを転写し、プラテン８上のラベル連続体１４に印字可能とする。
【００２２】
インキローラー６は、印字器５にインキを塗布するもので、ローラーホルダー１６の先端部にこれを交換可能に取り付けている。
ローラーホルダー１６は、揺動軸１７のまわりに揺動可能であって、揺動軸１７に設けた巻きバネ１８（付勢部材）の付勢力により、インキローラー６を印字器５の印字文字１５方向に常に付勢している。
すなわちローラーホルダー１６は、巻きバネ１８による付勢力の作用のもとで揺動軸１７のまわりに揺動する左右一対の軸着部１６Ａと、操作レバー３の先端部に設けた左右一対の操作用ガイドローラー１９により押し下げられる左右一対のガイド部１６Ｂと、ガイド部１６Ｂにまたがっているとともにインキローラー６を交換可能に取り付けているローラー取付け部１６Ｃと、を有する。
とくに図３に示すように、上記インキローラー６は、インキを保有ないし含浸しているローラー本体２０と、ローラー本体２０を自由転動させるローラー軸２１と、このローラー軸２１の左右に位置してローラー本体２０の側面を保護しているサイドプレート２２と、を有し、その保管状態ないし待機状態ではインキローラーカバー装置７により密閉保護されることになる。
【００２３】
図４、図５および図６は、インキローラーカバー装置７の要部および作動工程を示すもので、図４は、インキローラー６の待機状態を示す要部概略側面図、図５は、操作レバー３およびハンドル１１が握られて印字器５およびインキローラー６が移動し始めた状態を示す要部概略側面図、図６は、印字器５がプラテン８上のラベル連続体１４に印字を行う状態を示す要部概略側面図である。
当該インキローラーカバー装置７は、固定カバー２３と、可動カバー２４と、可動カバー２４を固定カバー２３の方向に常時付勢する上記巻きバネ１８（付勢部材）と、を有する。
【００２４】
固定カバー２３は、取付けねじ２５により貼付機本体２の左右一対の本体側板１０にまたがって固定的に取り付けた取付け部２３Ａと、取付け部２３Ａの下方部に一体的に位置しているとともにインキローラー６の待機状態でそのローラー本体２０の一部（図１中で上方部分）を収容可能な断面半円弧状のローラー収容部２３Ｂと、を有する。
【００２５】
可動カバー２４は、固定カバー２３のいわば開閉用蓋として作用するもので、インキローラー６（ローラーホルダー１６のローラー取付け部１６Ｃ）とこれを一体的に設けており、断面半円形状のローラー保護部２４Ａを有し、上記待機状態でローラー本体２０の他部（図１中で下方部分）を収容保護し、この固定カバー２３との間にローラー本体２０を密閉収容可能であるとともに、インキローラー６の作動状態でローラー本体２０を印字器５に向かって露出可能とする。
【００２６】
すなわち、固定カバー２３、可動カバー２４および一対のサイドプレート２２は、インキローラー６の待機状態（図４）において、これらの内部にインキローラー６を密閉収容する密閉空間２６を形成可能であり、巻きバネ１８が所定の押圧力でこの密閉空間２６を閉鎖している。
なお、サイドプレート２２とともにローラー本体２０を覆うことができるように固定カバー２３および可動カバー２４を形成することによって、固定カバー２３および可動カバー２４のみにより、これらの内部にインキローラー６を密閉収容する密閉空間２６を形成することもできる。
【００２７】
プラテン８は、その上面に前記ラベル連続体１４が移送されるもので、移送器９にこれを組み込んであり、既述のように印字器５によるラベル連続体１４への押印のスタンプ台となるものである。
【００２８】
移送器９は、ラベル保持器４からのラベル連続体１４をプラテン８に移送するとともに、ラベル連続体１４の台紙１４Ａのみをプラテン８の先端部で転向して、台紙１４Ａに仮着しているラベル片１４Ｂを剥離し、貼付けローラー２７によりこのラベル片１４Ｂを貼り付け可能とする。
【００２９】
こうした構成の携帯式ラベル印字貼付機１およびインキローラーカバー装置７において、インキローラー６の待機状態および使用状態について図４ないし図６にもとづき説明する。
図４に示すように、インキローラー６の待機状態では、巻きバネ１８の付勢力によりローラーホルダー１６が印字器５の方向にインキローラー６を付勢しているとともに、可動カバー２４が固定カバー２３のローラー収容部２３Ｂに所定押圧力で当接するとともに、インキローラー６のサイドプレート２２もローラー収容部２３Ｂの側面に所定押圧力で当接し、インキローラー６のローラ本体２０が収容される密閉空間２６を密閉状態に保持している。
したがって、インキローラー６のローラー本体２０自体が大気中に露出することなく保護されているので、インキの乾燥を防止することができる。
とくに、速乾性のインキ、あるいは浸透乾燥性ではないインキなどを使用しても乾燥が進みにくいので、当該インキローラー６を備えた携帯式ラベル印字貼付機１を屋外で使用しても支障はない。
【００３０】
図５に示すように、操作レバー３を握ってゆくと、印字器５がプラテン８方向に向かって移動落下していくとともに、操作用ガイドローラー１９がローラーホルダー１６のガイド部１６Ｂを押し下げてゆくので、インキローラー６がインキローラーカバー装置７の可動カバー２４とともに固定カバー２３から離反してゆくので、インキローラー６（とくにその上方部分）が密閉空間２６から開放されて、印字器５の印字文字１５に転動してインキを塗布する。
【００３１】
図６に示すように、インキローラー６が印字器５から完全に離反後退した状態で、印字器５がプラテン８上のラベル連続体１４（ラベル片１４Ｂ）に印字を行う。
さらに操作レバー３の握持の開放により移送器９がラベル連続体１４をさらに移送し、台紙１４Ａから剥離された一枚分のラベル片１４Ｂを貼付けローラー２７の下方に位置させるので、貼付けローラー２７によりこれを押し付けるようにして所定の商品など（図示せず）にラベル片１４Ｂを貼り付けることができる。
【００３２】
かくして、携帯式ラベル印字貼付機１に装備されたインキローラー６の保管状態ないし待機状態でのインキの乾燥を防止するとともに、使用状態にあっても従来と変わらぬ操作でインキの塗布を行うことができるので、わずかな構成変更のみでインキローラーカバー装置７を装備することができる。
また、インキの特性にかかわらず、インキローラー６にごみやほこりが付着することを防止可能である。
【図面の簡単な説明】
【００３３】
【図１】本発明の実施例によるインキローラーカバー装置７を装備した携帯式ラベル印字貼付機１の概略側面図である。
【図２】同、要部概略平面図である。
【図３】同、一部切欠き要部正面図である。
【図４】同、インキローラー６の待機状態を示す要部概略側面図である。
【図５】同、操作レバー３およびハンドル１１が握られて印字器５およびインキローラー６が移動し始めた状態を示す要部概略側面図である。
【図６】同、印字器５がプラテン８上のラベル連続体１４に印字を行う状態を示す要部概略側面図である。
【符号の説明】
【００３４】
１  携帯式ラベル印字貼付機（図１）
２  貼付機本体
３  操作レバー
４  ラベル保持器
５  印字器
６  インキローラー
７  携帯式ラベル印字貼付機１のインキローラーカバー装置（実施例、図３〜図６）
８  プラテン
９  移送器
１０  貼付機本体２の左右一対の本体側板
１１  貼付機本体２のハンドル
１２  枢軸
１３  押しバネ
１４  ラベル連続体
１４Ａ  ラベル連続体１４の台紙
１４Ｂ  ラベル連続体１４のラベル片
１５  印字器５の印字文字
１６  ローラーホルダー
１６Ａ  ローラーホルダー１６の軸着部
１６Ｂ  ローラーホルダー１６のガイド部
１６Ｃ  ローラーホルダー１６のローラー取付け部
１７  揺動軸
１８  巻きバネ
１９  操作用ガイドローラー
２０  インキローラー６のローラー本体
２１  インキローラー６のローラー軸
２２  インキローラー６のサイドプレート
２３  固定カバー
２３Ａ  固定カバー２３の取付け部
２３Ｂ  固定カバー２３のローラー収容部
２４  可動カバー
２４Ａ  可動カバー２４のローラー保護部
２５  取付けねじ
２６  密閉空間
２７  貼付けローラー
【図１】
2008201467.tif 000003
【図２】
2008201467.tif 000004
【図３】
2008201467.tif 000005
【図４】
2008201467.tif 000006
【図５】
2008201467.tif 000007
【図６】
2008201467.tif 000008